(57)【要約】      （修正有）【課題】水田への給水量を自動で調整し、低コストで製作、及び設置可能、かつ特別な駆動源を要することなく農業用水の給水を自動的に停止可能な水田用給止水枡を提供する。【解決手段】外部からの農業用水が流入する用水流入室２と、該用水流入室２に隣接して用水流入室２からの流水が枡の底部を通って流入する用水供給室３とに区画する隔壁４と、用水供給室３の水田９側上部に開口する用水給水口３１と、用水流入室２の水路７側上部に高さ調節可能な水位調整用の堰板２３を設けた越流水排出口２１を備える。【選択図】図２
0003196371.tif 000002
【実用新案登録請求の範囲】
【請求項１】
外部からの農業用水が流入する用水流入室と、該用水流入室に隣接して用水流入室からの流水が枡の底部を通って流入する用水供給室に区画する隔壁と、前記用水供給室の水田側上部に開口する用水給水口と、用水流入室の排水路側上部に高さ調節可能な水位調整用の堰板を設けた越流水排出口を備えたことを特徴とする水田用給止水枡。
【請求項２】
用水供給室の底面に、底面から隔壁に向けて上向き傾斜した邪魔板が設けられたことを特徴とする請求項１に記載の水田用給止水枡。
【請求項３】
隔壁、及び邪魔板が着脱可能に構成されたことを特徴とする請求項２に記載の水田用給止水枡。
【考案の詳細な説明】
【技術分野】
【０００１】
本考案は、水田内に農業用水を自動的に給水する水田用給止水枡に関する。
【背景技術】
【０００２】
一般的に水田は、畔で囲まれており、畔には水田に水を取り込むための堰と、水田内の水を排出するための堰とが設けられている。また、水田の近傍には、共用の用水路が整備されており、用水路の支流と水田とは、畦によって区分されるとともに、用水路には、水田に応じて水門や堰が設置されている。共用の用水路に設置された水門は、複数の支流全体の水位を調節する用途に用いられ、また、各支流における堰は、個々の支流の水位を調節するために用いられている。
【０００３】
水田への給水は、用水路の堰を利用して、適量の流水を堰止めて水位を上昇させるとともに、畦の堰を開放して行われる。水田内の水位が所望する水位に達した時点で畦の堰を閉止し、堰き止めた用水路の堰を元に復帰させるという手順によって実施されている。そして、このような給水作業は、田植え後から収穫期前までの長期間にわたり、水田の水位が低下する毎に定期的に繰り返されている。そのため、農業従事者にとって、水田の水管理は多大な労力と手間の掛かる作業であった。そこで、このような煩わしさを排除し作業の省力化を図るべく、水田に自動的に給水を行なうための種々の装置が提案されている。
【０００４】
例えば、特許文献１には、水田内に設けられ水田の水位の変動により上下動するフロートと、このフロートの降下により開閉される給水弁を備え、水位が低下すると自動的に給水を開始する装置が開示されている。
【０００５】
また、特許文献２には用水路と水田の間の畔に設けられ、水田内に設けられた水位検出器からの信号により堰を上昇又は下降させ、用水路の農業用水からの給水を自動的に開始又は停止させる給水装置が開示されており、特許文献３には、水田等に設置した水位感知装置により水田の水位の高さを測り、計測した水位に応じて給水路に設置されたギヤ構造の水門装置を開閉し、水田への自動給水を可能とする装置が開示されている。
【先行技術文献】
【特許文献】
【０００６】
【特許文献１】特開２００７−６７３１号公報
【特許文献２】特開２０１１−１１５０５９号公報
【特許文献３】特開２００６−８３６９２号公報
【考案の概要】
【考案が解決しようとする課題】
【０００７】
しかしながら、特許文献１乃至特許文献３に記載されている装置は、水田内に水位計などを設け、水位計からの信号により水田への給止水を行っているため、水位計が常に水田内に配置されており、耕耘機や田植機などの農業用機械の進行に邪魔となるうえに、田植え面積が減少し無駄地が発生するという問題があった。また堰やバルブの開閉が電動式の装置は、駆動源が必要、また装置が大がかりなため設置の手間がかかる、製作コストが嵩む、機械部品のメンテナンスなどの保守管理を要するという問題があった。
【０００８】
また、給水が開始された際に、水流の勢いにより、水田の底面に洗掘と呼ばれる凹部が形成される、稲が倒伏されるため、水田への給水口近辺に、稲を植えることができず、無駄地が発生するという問題があった。また、水田に設けられた排水枡により、水田内からの排水量を調整することで水田の水位設定を行う水田用排水枡に関する技術も先に提案されているが、このような水位設定方式においては、稲の生育に必要な栄養素までもが排水されてしまうため、水田の水管理としては不十分であった。
【０００９】
本考案は、上記の問題点に鑑みなされたもので、低コストで製作、及び設置可能、かつ自動的に水田への給止水を行うとともに、洗掘を防止することができる水田用給止水枡を提供することを目的とする。
【課題を解決するための手段】
【００１０】
このため本考案の水田用給止水枡は、外部からの農業用水が流入する用水流入室と、該用水流入室に隣接して用水流入室からの流水が枡の底部を通って流入する用水供給室に区画する隔壁と、前記用水供給室の水田側上部に開口する用水給水口と、用水流入室の水路側上部に高さ調節可能な水位調整用の堰板を設けた越流水排出口を備えたことを第１の特徴とする。
【００１１】
また、用水供給室の底面に、底面から隔壁に向けて上向き傾斜した邪魔板が設けられたことを第２の特徴とする。
【００１２】
さらに、隔壁、及び邪魔板が着脱可能、かつ枡が台形状に構成されたことを第３の特徴とする。
【考案の効果】
【００１３】
本考案の水田用給止水枡は、以下の優れた効果を有する。
（１）枡を用水流入室と用水供給室の２つの区画に仕切り、各室に用水給水口、及び越流水排出口なる枡外への通水口を設け、用水流入室に農業用水を流入させるため、用水給水口と隣接する水田、及び枡内の水位が一定に保たれ、かつ所定の水位に達した場合、用水流入室に流入した農業用水が、越流水排出口からただちに排出される。すなわち、越流水排出口の最下端、もしくは越流水排出口に設けた堰板の最上端を水位が超えることなく排出され、所定の水位以上に農業用水が水田へ流入することを防止し、自動的に水田への給水を止水することができる。また、水位設定が水田内の排水量ではなく、入水量により調整されるため、水田内の栄養素などを排水することなく、水田内の栄養素が保たれる。
（２）外部からの農業用水を用水流入室に流入させ、枡の底部を通って一旦用水供給室に貯水させ、用水供給室の水田側上部に設けた用水給水口から水田に給水するため、農業用水の水流を減勢させて水田に給水することができる。すなわち、農業用水の水流により発生する稲の倒伏や洗堀を防止することができる。とくに、用水供給室の底面に邪魔板を設けた際には、枡の底面を通る水流が邪魔板に衝突するため、より一層の減勢作用を得ることができる。
（３）用水流入室の水路側上部に堰板を設けているため、堰板を設置するだけで、所望する水田の水位を容易に得ることができる。
（４）特別な駆動源やセンサ類が不要なため、メンテナンスも不要なうえに、低コストで製作が可能となる。また、水田内への機器設置が不要なため、水田内を有効に使うことが可能となる。
（５）隔壁、及び邪魔板が着脱可能、かつ枡が台形状に構成されているため、隔壁、及び邪魔板を取外して枡内へ収容し、複数の枡を積層させて持ち運ぶことができる。
【図面の簡単な説明】
【００１４】
【図１】本考案に係る水田用給止水枡の一実施例を示す斜視図である。
【図２】図１の水田用給止水枡を設置した状態を説明する断面図である。
【図３】本考案に係る水田用給止水枡の他の実施例を示す斜視図である。
【考案を実施するための形態】
【００１５】
以下、本考案における水田用給止水枡１の１実施例について、図１、図２を参照しながら詳細に説明する。本考案の水田用給止水枡１は、図１、図２に示すように、外部からの農業用水が流入する用水流入室２と、用水流入室２に隣接して用水流入室２からの流水が枡本体の底部を通って流入する用水供給室３とに区画する隔壁４と、用水供給室３の水田９側上部に開口する用水給水口３１と、用水流入室２の水路７側上部に高さ調節可能な水位調整用の越流堰２２を設けた越流水排出口２１を備えている。
【００１６】
図１に示すように、水田用給止水枡１は、合成樹脂製の方形状に形成された枡体で、枡体の略中央に板状の隔壁４が着脱可能に設けられ、枡体の内部が用水流入室２と用水供給室３に区画されている。隔壁４は、枡体両側面の対抗する位置に設けられた１組のガイド片４１、及び受片４２により支持されている。１組のガイド片４１は、隔壁４の端部をスライドさせて嵌め込むことができるよう、互いの距離が隔壁４の板厚程度の距離に設けられている。受片４２は、隔壁４の端部底面を当接させて隔壁４を中空状態に支持可能な高さに設けられ、農業用水を用水流入室２から用水供給室３へ導く開口部４３が形成されている。これにより枡体の底部に農業用水を通水させ、用水流入室２内の水位と用水供給室３内の水位、つまり枡体内の水位を同水位とすることが可能となる。
【００１７】
用水供給室３の対向する両側面には、１組のガイド片６１が設けられ、板状の邪魔板６が着脱可能に支持されている。１組のガイド片６１は、邪魔板６の端部をスライドさせて嵌め込むことができるよう、互いの距離が邪魔板６の板厚程度の距離に設けられている。邪魔板６は、用水供給室３の底部に当接し、枡体の底面を通る水流を邪魔板に衝突させて枡体内で水流を減勢させる。
【００１８】
用水流入室２の水路７側上部には、越流水排出口２１が設けられており、その側周には、木片などの堰板２３が嵌め込まれる溝部２２が形成されている。また、用水供給室３の水田９側上部には、越流水排出口２１と対向する位置に用水給水口３１が形成されており、用水供給室３内の農業用水が水田９へ供給される。そのため、枡体内の水位、及び水田９の水位を、堰板２３の高さまで同水位とすることができる。
【００１９】
水田用給止水枡１、隔壁４、及び邪魔板６は、高い耐腐食性や耐久強度を有し、運搬や設置、撤去作業が容易な程度に軽量な素材であれば、何れでも使用することができる。このような素材としては、例えば、塩化ビニール、ＡＢＳ樹脂、ポリカーボネート、ポリプロピレン等の各種合成樹脂、ＧＦＲＰ、ＣＦＲＰ等のファイバー樹脂、あるいはそれらの複合樹脂、アルミニウム、ステンレス鋼、各種鍍金鋼等の金属、又は人口軽量骨材を使用した軽量コンクリートや防水性の高いポリマーコンクリートが挙げられる。またこれらを複合させた複合素材とすることも可能である。
【００２０】
次に、水田用給止水枡１の設置、及び水田９への給止水方法について、図２を参照しながら説明する。本発明に係る水田用給止水枡１は、図２に示すように、水田９と水路７の間に設置される。一般的には水田９と排水路７の間には、畔が設けられているため、例えば畔を掘削し水田用給水枡１を埋設することで、図２に示すように水田用給水枡１を設置することができる。水路７は、既存の給水路、または排水路であり、農業用水が流水する水路であれば良い。この水路７、もしくは別の水源から給水ポンプ７１などにより農業用水を用水流入室２へ継続して流入させる。
【００２１】
水田９の土壌面９２が用水給水口３１の下端面よりも高い位置となるよう水田用給止水枡１を設置した場合は、水田９内の土壌が水田用給止水枡１内へ流れ込み、開口部４３を閉塞するおそれがあり、水田９の土壌面９２が用水給水口３１の下端面よりも低い位置となるよう水田用給止水枡１を設置した場合は、その落差により土壌面９２に洗掘が発生するおそれがある。そのため水田用給止水枡１は、図２に示すように、水田９の土壌面９２と用水給水口３１の下端面が同一の高さとなるよう設置されることが好ましい。
【００２２】
このように設置された水田用給止水枡１の越流水排出口２１に堰板２３を設けて、堰板２３の上端が所望する水位の高さになるよう設定する。これにより、水位が堰板２３の上端と同じ高さとなるまでは、用水流入室２、用水供給室３を介して水田９へ給水され、さらに給水ポンプ７１から流入する農業用水は、堰板２３の上端を越流して自動的に水路７へ排水されて水田９への給水が停止される。したがって、給水ポンプ７１を一度作動させるだけで、水田９での給止水管理を行うことなく、自動的に堰板２３により設定した水位まで給水し、設定した水位に達した後には自動的に止水することができる。また、水田９内の水位を低水位に変更させる際には、設定高さの低い堰板２３と取り換えるだけで、越流水排出口２１を介して排水され、所望の水位まで低下させることができる。このように水田９の水管理を容易に行うことが可能となる。
【００２３】
次に、本考案の水田用給止水枡１の他実施例について、図３を参照しながら詳細に説明する。尚、前述した実施例と同一の構成要素には同一の参照符号を付し、以下、前述した実施例との相違点を主に説明する。図３（ａ）に示すように、水路７に面する越流水排出口２１と水田９に面する用水給水口３１は、対角する位置に設けられており、幅の狭い畔９３に設置する際に適した形状となっている。このように、越流水排出口２１は用水流入室２の水路７に面する位置に、用水給水口３１は用水供給室３の水田９に面する位置に設けられていれば良い。また越流水排出口２１、及び用水給水口３１の開口形状は、図示しているような矩形状のほか、例えば三角形などの多角形状、円形や楕円などの円状でも良く、通水可能な形状であれば、如何なる形状も採用することができる。
【００２４】
また、枡体の形状は、図１に示すような立方体形状のほか、図３（ｂ）に示すように、水田や水路に面さない両側壁を底部に向けて勾配した傾斜面８を設けた逆台形形状であっても良い。このような形状の場合には、図３（ｃ）に示すように、水田用給止水枡１内部に隔壁４、及び邪魔板６を収容し、複数の水田用給止水枡１を重ねることが可能となり、水田用給止水枡１を設置する際に運搬が容易になるとともに、保管場所の省スペース化を図ることができる。
【００２５】
尚、本考案の要旨は、外部からの農業用水が流入する用水流入室２と、用水流入室２に隣接して用水流入室２からの流水が枡本体の底部を通って流入する用水供給室３とに区画する隔壁４と、用水供給室３の水田９側上部に開口する用水給水口３１と、用水流入室２の水路７側上部に高さ調節可能な水位調整用の越流堰２２を設けた点である。そのため、給水ポンプ７１を用いて外部からの農業用水を用水流入室２へ導入しているが、これに限定されるものではなく、水路や水源から農業用水を導入する手段においては、様々な手法を講じても良い。また、越流水排出口２１に溝部２２を設け、堰板２３を嵌込式とするほか、越流水排出口２１からの越流量を調整できるようスライド式の堰板を越流水排出口２１の内壁側、または外壁側に設けても良い。このように本考案の要旨を逸脱しない範囲内において種々変更を加え得ることは言うまでもない。
【符号の説明】
【００２６】
１      水田用給止水枡
２      用水流入室
２１    越流水排出口
２２    溝部
２３    堰板
３      用水供給室
３１    用水給水口
４      隔壁
４１    ガイド片
４２    受片
６      邪魔板
６１    ガイド片
６２    受片
７      水路
７１    給水ポンプ
８      傾斜面
９      水田
９１    稲
９２    土壌面
９３    畔
【図１】
0003196371.tif 000003
【図２】
0003196371.tif 000004
【図３】
0003196371.tif 000005